(57)【要約】【課題】複数の番組を同時に録画している状態で録画中止の指示があった場合に、任意の番組に対する録画中止を簡単にかつ誤認されることなく指示可能とすること。【解決手段】複数の放送番組を同時に受信して録画可能な番組録画再生装置において、録画の中止指示入力があったとき、録画中の番組数を判別し、番組数判別数の判別結果が複数であったときは、それぞれの番組の受信データからサムネイル映像を生成し、記録中の複数の番組毎に区分を決定し、それぞれの区分内に番組情報を表示すると共に、サムネイル映像をクリップ表示するようにした録画中止選択画面を表示し、区分毎にユーザがクリップ表示される実際の番組映像を見てその内容を確認しながら録画中止を指示することができるようにした。【選択図】      図２
2010200169.tif 000002
【特許請求の範囲】
【請求項１】
それぞれ独立して放送番組を受信する複数のチューナと、
前記複数のチューナにより選択的に受信して得られる１または複数の放送番組を同時に録画する録画処理部と、
前記録画の中止指示入力があったとき、録画中の番組数を判別する番組数判別部と、
前記番組数判別数の判別結果が複数であったときは、それぞれの番組の受信データからサムネイル映像を生成するサムネイル映像生成部と、
前記録画中の複数の番組毎に区分を決定し、それぞれの区分内に番組情報を表示すると共に、前記サムネイル映像をクリップ表示する録画中止選択画面生成部と、
前記録画中止選択画面上で前記複数の番組の中から録画を中止する番組を選択させる中止選択指示部と
を具備することを特徴とする番組録画再生装置。
【請求項２】
それぞれ独立して放送番組を受信する複数のチューナと、
前記複数のチューナにより選択的に受信して得られる１または複数の放送番組を同時に録画する録画処理部と、
前記録画の中止指示入力があったとき、録画中の番組数を判別する番組数判別部と、
前記番組数判別数の判別結果が複数であったときは、それぞれの番組の受信データからサムネイル映像を生成するサムネイル映像生成部と、
前記録画中の複数の番組毎にリスト枠を決定し、それぞれのリスト枠内に番組情報を表示すると共に、画面の一部に選択されたリストのサムネイル映像をクリップ表示する録画中止選択画面生成部と、
前記録画中止選択画面上で前記複数の番組の中から録画を中止する番組を選択させる中止選択指示部と
を具備することを特徴とする番組録画再生装置。
【請求項３】
複数の放送番組を同時に受信して録画可能な番組録画再生装置の録画中止方法において、
前記録画の中止指示入力があったとき、録画中の番組数を判別する番組数判別し、
前記番組数判別数の判別結果が複数であったときは、それぞれの番組の受信データからサムネイル映像を生成し、
前記録画中の複数の番組毎に区分を決定し、それぞれの区分内に番組情報を表示すると共に、前記サムネイル映像をクリップ表示するようにした録画中止選択画面を表示し、
前記録画中止選択画面上で前記複数の番組の中から録画を中止する番組を選択させることを特徴とする番組録画再生装置の録画中止方法。
【発明の詳細な説明】
【技術分野】
【０００１】
本発明は、複数のチューナで受信されたテレビジョン放送番組を同時に記録可能な番組録画再生装置とその録画中止方法に関する。
【背景技術】
【０００２】
周知のように、録画したい放送番組が重なった場合のニーズから、複数（一般的には２台）のチューナを搭載し、各チューナで受信されたテレビジョン放送番組を同時に記録可能な番組録画再生装置が広く普及されている。
【０００３】
ところで、従来の番組録画再生装置では、２つの番組を同時に録画しているとき、いずれかの番組を視聴用に表示させている。この状態で録画中止の指示入力があると、まず、表示中の番組（表番組）の録画を中止するか否かをユーザに選択させる（選択画面１）。ここで録画中止が選択された場合には、表番組の録画を中止させると共に、裏番組を表番組に切り替えて表示させ、その表番組の録画を中止するか否かをユーザに選択させる（選択画面２）。
【０００４】
選択画面１で録画中止が選択されなかった場合には、録画予約画面を提示して裏番組の録画中止処理を選択実行させる。選択画面２で録画中止が選択された場合には、その番組の録画を中止し、これによって全ての番組の録画中止処理が完了となる。また、選択画面２で録画中止が選択されなかった場合には、表番組となった番組の録画を継続させ、一連の処理を終了する。
【０００５】
すなわち、上記のような従来の録画中止方法では、複数の番組の録画中に録画中止の指示入力があると、番組毎に個別に録画中止の指示操作が必要であり、煩雑な操作が余儀なくされている。
【０００６】
尚、特許文献１には、記録停止ボタンを操作したとき、録画中の番組のタイトルを一覧表示して、どの番組の録画を停止させるか選択させる方法が示されている。但し、この文献１に示される方法では、複数番組に対する録画停止の操作は簡単になるものの、タイトルの表示内容だけで録画を停止させる番組を判断しなければならず、タイトルが似ていたりすると、ユーザが停止すべきタイトルの番組を誤認してしまうおそれがある。
【先行技術文献】
【特許文献】
【０００７】
【特許文献１】特開２００１−１９７４１３公報
【発明の概要】
【発明が解決しようとする課題】
【０００８】
以上のように、従来の番組録画再生装置では、複数の番組を同時に録画している状態で録画中止の指示があった場合に、番組毎に録画中止の指示操作が必要であった。一方、録画中の全ての番組のタイトルを一覧表示して録画停止する番組を選択させる方法も提案されているが、タイトルの表示内容だけで判断しなければならないため、誤認選択されるおそれがある。
【０００９】
本発明は、上記の事情を鑑みてなされたもので、複数の番組を同時に録画している状態で録画中止の指示があった場合に、任意の番組に対する録画中止を簡単にかつ誤認されることなく指示することが可能な番組録画再生装置とその録画中止方法を提供することを目的とする。
【課題を解決するための手段】
【００１０】
上記目的を達成するために本発明に係る番組録画再生装置は以下のような態様の構成とする。
【００１１】
（１）それぞれ独立して放送番組を受信する複数のチューナと、前記複数のチューナにより選択的に受信して得られる１または複数の放送番組を同時に録画する録画処理部と、前記録画の中止指示入力があったとき、録画中の番組数を判別する番組数判別部と、前記番組数判別数の判別結果が複数であったときは、それぞれの番組の受信データからサムネイル映像を生成するサムネイル映像生成部と、前記録画中の複数の番組毎に区分を決定し、それぞれの区分内に番組情報を表示すると共に、前記サムネイル映像をクリップ表示する録画中止選択画面生成部と、前記録画中止選択画面上で前記複数の番組の中から録画を中止する番組を選択させる中止選択指示部とを具備する構成とする。
【００１２】
（２）それぞれ独立して放送番組を受信する複数のチューナと、前記複数のチューナにより選択的に受信して得られる１または複数の放送番組を同時に録画する録画処理部と、前記録画の中止指示入力があったとき、録画中の番組数を判別する番組数判別部と、前記番組数判別数の判別結果が複数であったときは、それぞれの番組の受信データからサムネイル映像を生成するサムネイル映像生成部と、前記録画中の複数の番組毎にリスト枠を決定し、それぞれのリスト枠内に番組情報を表示すると共に、画面の一部に選択されたリストのサムネイル映像をクリップ表示する録画中止選択画面生成部と、前記録画中止選択画面上で前記複数の番組の中から録画を中止する番組を選択させる中止選択指示部とを具備する構成とする。
【００１３】
また、本発明に係る番組録画再生装置の録画中止方法は以下のような態様の構成とする。
【００１４】
（３）複数の放送番組を同時に受信して録画可能な番組録画再生装置の録画中止方法において、前記録画の中止指示入力があったとき、録画中の番組数を判別する番組数判別し、前記番組数判別数の判別結果が複数であったときは、それぞれの番組の受信データからサムネイル映像を生成し、前記録画中の複数の番組毎に区分を決定し、それぞれの区分内に番組情報を表示すると共に、前記サムネイル映像をクリップ表示するようにした録画中止選択画面を表示し、前記録画中止選択画面上で前記複数の番組の中から録画を中止する番組を選択させる構成とする。
【発明の効果】
【００１５】
本発明によれば、複数の番組を同時に録画している状態で録画中止の指示があった場合に、任意の番組に対する録画中止を簡単にかつ誤認されることなく指示することが可能な番組録画再生装置とその録画中止方法を提供することができる。
【図面の簡単な説明】
【００１６】
【図１】本発明の一実施形態として、番組録画再生装置としての機能を有する情報記録再生装置の概略構成を示すブロック図。
【図２】上記実施形態において、録画中止の指示入力があった場合の処理手順を示すフローチャート。
【図３】上記実施形態において、単独録画中止画面の表示例を示す図。
【図４】上記実施形態において、Ｗ録中止画面の表示例を示す図。
【図５】本発明の他の実施形態として、録画中止対象の２番組表示をリスト表示とした場合の表示画面例を示す図。
【発明を実施するための形態】
【００１７】
以下、図面を参照して本発明の実施の形態を詳細に説明する。
【００１８】
図１は本発明の一実施形態として、番組録画再生装置としての機能を有する情報記録再生装置の概略構成を示すブロック図である。図１に示す情報記録再生装置は、ＤＶＤなどの光ディスク１０とハードディスク部１４の双方に番組を録画することができる。なお、この情報記録再生装置は、番組の録画先として、例えば半導体メモリを備えることもできる。
【００１９】
図１において、左側には記録部の主なブロックが示され、右側には再生部の主なブロックが示されている。この情報記録再生装置は、ディスクドライブ部１２、ハードディスクドライブ部１４の２種類のディスクドライブ部を備える。ディスクドライブ部１２は、光ディスク１０を回転駆動し、情報の読み書きを実行する。ディスクドライブ部１２は、光ディスク１０に対する回転制御系、レーザ駆動系、光学系などを備える。また、ハードディスクドライブ部１４は、ハードディスクを駆動し、情報の読み書きを実行する。
【００２０】
また、情報記録再生装置は、データプロセッサ部１６を備え、このデータプロセッサ部１６は、ディスクドライブ部１２及びハードディスクドライブ部１４に記録データを供給し、また、ディスクドライブ部１２及びハードディスクドライブ部１４により読み出された再生データを受け取る。データプロセッサ部１６は、所定単位の記録データまたは再生データを処理し、バッファ回路、変調・復調回路、エラー訂正回路などを備える。
【００２１】
また、情報記録再生装置は、エンコーダ部３０、デコーダ部５０、マイクロコンピュータブロック７０を備えている。エンコーダ部３０には、スイッチ２０を介して、ＡＶ入力部１８ａからの外部アナログビデオ信号と外部アナログオーディオ信号が入力される。また、エンコーダ部３０には、スイッチ２０を介して、地上波アナログチューナ１８ｂ、地上波デジタルチューナ１８ｃ、衛星ＢＳ／ＣＳチューナ１８ｄ、衛星アナログチューナ１８ｅからの受信信号が選択的に入力される。例えば、この情報記録再生装置は、地上波デジタルチューナ１８ｃで受信した番組をハードディスクドライブ部１４により録画しつつ、同時に、衛星ＢＳ／ＣＳチューナ１８ｄで受信した番組を記録したり、デコーダ５０により再生したりすることができる。また、地上波デジタルチューナ１８ｃは、２チャンネルの番組を同時に受信出力可能な、いわゆるＷチューナとし、上記スイッチ２０により、要求に応じて２番組を同時に選択可能とする。
【００２２】
エンコーダ部３０は、トランスポートストリーム処理部及び複数のエンコーダを備えており、各エンコーダはアナログデジタルコンバータ、ビデオエンコーダ（主映像エンコーダと副映像エンコーダ）及びオーディオエンコーダを備えている。アナログデジタルコンバータは、入力されたアナログビデオ信号やアナログオーディオ信号をデジタル化する。主映像エンコーダはデジタルビデオ信号の主映像信号をエンコードし、オーディオエンコーダはデジタルオーディオ信号をエンコードし、副映像エンコーダはデジタルビデオ信号の副映像信号をエンコードする。より具体的には、ビデオエンコーダは、デジタルビデオ信号をＭＰＥＧ２またはＭＰＥＧ１規格に基づいて可変ビットレートで圧縮する。オーディオエンコーダは、デジタルオーディオ信号をＭＰＥＧまたはＡＣ−３規格に基づいて固定ビットレートで圧縮する。
【００２３】
ＡＶ入力部１８ａからの副映像信号（例えば副映像信号の独立出力端子付ＤＶＤビデオプレーヤからの信号）がエンコーダ部３０に対して入力された場合、あるいは副映像信号が含まれたＤＶＤビデオ信号がＴＶチューナ部で受信された場合は、ＤＶＤビデオ信号中の副映像信号が副映像エンコーダでエンコード（ランレングス符号化）されて副映像のビットマップとなる。
【００２４】
エンコーダ部３０からのエンコード出力信号は、フォーマッタ３２にて所定のＤＶＤのフォーマットに変換され、データプロセッサ部１６に供給される。なお、フォーマッタ３２には、バッファメモリ３４が接続されており、エンコード出力信号がバッファリングされる。具体的には、エンコードされたデジタルビデオ信号、デジタルオーディオ信号、副映像データは、フォーマッタ３２にてパック化され、ビデオパック、オーディオパック、副映像パックとなり、さらにこれらが集合されて、ＤＶＤ-ビデオ規格で規定されたフォーマット（ＤＶＤ Ｖｉｄｅｏフォーマット）や、ＤＶＤ-レコーディング規格で規定されたフォーマット（ＤＶＤ ＶＲフォーマット）に変換される。
【００２５】
なお、トランスポートストリームから抽出したパケットエレメンタリーストリームが、エンコーダ部３０から直接ハードディスクドライブ部１４のハードディスクに記録される場合もある。
【００２６】
なお、エンコーダ部３０は、圧縮されたデジタルビデオ信号やデジタルオーディオ信号が直接入力されるときは、圧縮デジタルビデオ信号やデジタルオーディオ信号を直接フォーマッタ３２に供給することもできる。またエンコーダ部３０は、アナログデジタル変換されたデジタルビデオ信号やオーディオ信号を、ビデオミキシング部５６やオーディオセレクタ５２に直接供給することもできる。
【００２７】
フォーマッタ３２でフォーマットデータ（ビデオ、オーディオ、副映像データなどのパック）及び作成された管理情報は、データプロセッサ部１６を介してハードディスクドライブ部１４あるいはデータディスクドライブ部１２に供給され、ハードディスクあるいは光ディスク１０に記録される。またハードディスクあるいは光ディスク１０に記録されたフォーマットデータ及び管理情報は、データプロセッサ部１６、ディスクドライブ部１２を介して光ディスク１０あるいはハードディスクに記録することもできる（ハードディスク→光ディスク／光ディスク→ハードディスク）。
【００２８】
また、データプロセッサ部１６は、ハードディスクあるいは光ディスク１０に記録されている番組データを構成するビデオオブジェクトの一部を削除したり、異なる複数の番組を構成するビデオオブジェクトの一部をつなぎあわせたりする編集処理を行うこともできる。
【００２９】
マイクロコンピュータブロック７０は、ＭＰＵ（マイクロプロセッシングユニット）またはＣＰＵ（セントラルプロセッシングユニット）と、制御プログラム等が書きこまれたＲＯＭと、プログラム実行に必要なワークエリアを提供するためのＲＡＭとを備えている。さらに、マイクロコンピュータブロック７０は、電子番組ガイド（Electronic Program Guide）処理部７０１、録画制御部７０２、再生制御部７０３、編集処理部７０４、表示制御部７０５を備えている。
【００３０】
ＭＰＵの実行結果のうち、ユーザに通知すべき内容は、情報記録再生装置の表示部７４に表示されるか、または情報記録再生装置に接続されるモニターディスプレイにＯＳＤ（オンスクリーンディスプレイ）表示される。なお、表示部７４は、ＦＬ管又はＬＥＤを備え、情報記録再生装置の主電源がオフの状態でも、各種情報を表示することができる。
【００３１】
また、マイクロコンピュータブロック７０は、ネットワークインターフェース７２を介して、外部ネットワークに接続することが可能である。これにより、外部ネットワークを介して電子番組ガイド（Electronic Program Guide）を取り込むことも可能である。
【００３２】
また、マイクロコンピュータブロック７０は、ＳＴＣ（システムタイムクロック）生成部４０からの時間データに基づいて、ディスクドライブ部１２、ハードディスクドライブ部１４、データプロセッサ部１６、エンコーダ部３０、デコーダ部５０などを制御する。なお、録画や再生の動作は、ＳＴＣ生成部４０からのタイムクロックに同期して実行されるが、それ以外の処理はＳＴＣ生成部４０とは独立したタイミングで実行されてもよい。
【００３３】
また、マイクロコンピュータブロック７０にはキー入力部７６からの操作入力信号が入力される。このキー入力部７６は、例えば情報記録再生装置の本体上に設けた操作スイッチ類及び本体から独立したリモートコントローラである。或いは、このキー入力部７６は、情報記録再生装置と有線通信あるいは無線通信により接続されるパーソナルコンピューターであってもよい。キー入力部７６は、例えば、番組ガイド表示キー、カレンダー表示キー、録画予約番組一覧表示キー、再生番組一覧表示キー、削除キー、決定キー、十字キーを備えており、この十字キーは、上下キー及び左右キーを備えている。その他、適宜機能を割り当て可能な青、赤、緑、黄のキーを備えている。このキー入力部７６を介しての操作入力（選択操作）に基づき、情報記録再生装置は、番組録画予約、番組録画予約に基づく番組録画、録画番組の再生、再生の停止、録画番組の編集（削除等）などを実行する。
【００３４】
デコーダ部５０は、セパレータ、メモリ、ビデオデコーダ（主映像デコーダ及び副映像デコーダ）、オーディオデコーダ、ビデオプロセッサを備えている。セパレータは、パック構造を持つＤＶＤフォーマットの信号から各パックを分離して取り出す。メモリは、パック分離やその他の信号処理実行時に使用される。主映像デコーダは、セパレータで分離された主映像データ（ビデオパックの内容）をデコードする。副映像デコーダは、セパレータで分離された副映像データ（副映像パックの内容）をデコードする。オーディオデコーダは、セパレータで分離されたオーディオデータ（オーディオパックの内容）をデコードする。ビデオプロセッサは、デコードされた主映像にデコードされた副映像（メニュー、ハイライトボタン、字幕など）を合成する。
【００３５】
デコーダ部５０から出力されるビデオ信号は、ビデオミキシング部５６に入力される。ビデオミキシング部５６は、例えばテキストデータを合成する。またビデオミキシング部５６には、ＡＶ入力部１８a、地上波アナログチューナ１８ｂ、地上波デジタルチューナ１８ｃ、衛星ＢＳ／ＣＳチューナ１８ｄ、衛星アナログチューナ１８ｅからの信号を直接取り込むラインが接続されている。ビデオミキシング部５６には、バッファとして用いるフレームメモリ５８が接続されている。ビデオミキシング部５６から出力されるアナログビデオ信号はＩ／Ｆ（インタフェース）７３を介してそのまま外部へ出力され、ビデオミキシング部５６から出力されるデジタルビデオ信号はデジタルアナログ変換器６２を介してアナログビデオ信号へ変換され外部（例えばモニタ６４）へ出力される。
【００３６】
デコーダ部５０から出力されるデジタルオーディオ信号は、セレクタ５２を介してデジタルアナログ変換器５４でアナログオーディオ信号へ変換され外部（例えばスピーカ）に出力される。セレクタ５２は、マイクロコンピュータブロック７０からのセレクト信号により制御される。これによりセレクタ５２は、ＡＶ入力部１８aや地上波デジタルチューナ１８ｃからのデジタル信号を直接モニタする時、エンコーダ部３０をスルーした信号を直接選択することも可能である。
【００３７】
なお、エンコーダ部３０のフォーマッタは、録画中、切り分け情報を作成し、定期的にマイクロコンピュータブロック７０のＭＰＵへ送る。切り分け情報には、ＶＯＢＵのパック数、ＶＯＢＵの先頭からのIピクチャのエンドアドレス、ＶＯＢＵの再生時間などが含まれる。
【００３８】
また、この情報記録再生装置は、録画番組を構成するデータにアクセス（シーク）している間に、途切れないで録画番組の再生を続けるために、最低限連続させなければならない情報単位を決めている。この情報単位の記録エリアをＣＤＡ（コンティギュアス・データ・エリア）と呼ぶ。ＣＤＡには、ＥＣＣ（エラー訂正コード）ブロック（１６セクタ）の倍数の情報が記録される。
【００３９】
データプロセッサ部１６は、エンコーダ部３０のフォーマッタからＶＯＢＵ単位のデータを受け取り、ＶＯＢＵ単位のデータからＣＤＡ単位のデータを生成し、ＣＤＡ単位のデータをディスクドライブ部１２あるいはハードディスクドライブ部１４に供給する。またマイクロコンピュータブロック７０のＭＰＵは、記録したデータを再生するのに必要な管理情報を作成し、データ記録終了のコマンドを認識すると、作成した管理情報をデータプロセッサ部１６に送る。これにより、管理情報が記録される。
【００４０】
次に、上記説明した情報記録再生装置による予約録画について説明する。番組ガイド表示キーの操作（押下）に対応して、マイクロコンピュータブロック７０の電子番組ガイド処理部７０１及び表示制御部７０５は、電子番組ガイドをモニタ６４に表示する。電子番組ガイドがモニタ６４に表示された状態での十字キーの操作（押下）に対応して、電子番組ガイドの各番組セル上をカーソルが移動する。所望の番組セルにカーソルが位置した状態での決定キーの操作（押下）に対応して、所望の番組が録画予約される。この手順の繰り返しで、複数の番組の録画を予約することができる。録画制御部７０２は、録画予約に基づき番組を録画する。
【００４１】
尚、上記予約録画において、すでに番組が予約録画された時間帯に別の番組を録画予約することも可能となっている。その同時録画数は技術的には任意であるが、ここでは説明を簡単にするため、表番組と裏番組の２番組を同時録画可能とする。
【００４２】
上記構成において、以下に本発明の特徴となる録画中止時の処理について説明する。
【００４３】
図２は録画中止の指示入力があった場合の処理手順を示すフローチャートである。図２において、番組録画中に録画中止の操作入力があると（ステップＳ１）、録画実行中か否かを判断し（ステップＳ２）、録画実行中ならば録画番組数が１であるか否かを判断する（ステップＳ３）。ここで、録画番組数が１ならば単独の録画中止画面を表示し（ステップＳ４）、録画番組数が１でない、すなわち録画番組数が２ならば２番組録画（いわゆるＷ録）中止画面を表示し（ステップＳ５）、それぞれユーザの操作入力を待機する。尚、ステップＳ２において、録画実行中でなかった場合には、録画中止の対象がない旨のワーニングを表示して（ステップＳ６）、一連の処理を終了する。
【００４４】
上記ステップＳ４の単独録画中止画面の表示処理では、例えば図３に示すように、録画中の番組のタイトル、チャンネル、録画予約時間等の番組情報、録画中止の実行を確認する「はい」、「いいえ」の選択ボタンを表示すると共に、誤認防止のためのサムネイル映像をクリップの形式で表示する。これにより、ユーザは実際の番組内容を視聴によって確認可能となり、誤認による中止処理を低減させることができる。
【００４５】
上記単独録画中止画面において、録画中止の実行確認操作（図３の例ではカーソル操作、或いは方向キー操作による「はい」の選択及び決定ボタンの押下）（ステップＳ７）が行われた場合には、提示した番組の録画中止を実行し（ステップＳ８）、「いいえ」が選択された場合には、「録画中止を取り消します」とワーニングを表示して（ステップＳ９）、一連の処理を終了する。
【００４６】
一方、ステップＳ５のＷ録中止画面の表示処理では、例えば図４に示すように、録画中の２つの番組（以下、番組１、番組２とする）のタイトル、チャンネル、録画予約時間を含む番組情報、サムネイル映像を取得し、録画中止の実行を番組別に選択的に指示入力させるための操作画面を表示する。このときの操作画面は、例えば図４に示すように、それぞれの番組毎に所定の領域を区分し、各区分に番組のタイトル、チャンネル、録画予約時間等の番組情報と誤認防止のためのクリップによるサムネイル映像を表示する。それぞれの区分は、番組別の選択領域であり、例えば画面上で左右に並べて、明転、暗転の２状態で選択状態を表わすものとする。
【００４７】
上記Ｗ録中止画面において、カーソル操作、或いは方向キー操作により区分選択（明転させる）がなされ（ステップＳ１０）、決定ボタンが押下された場合（ステップＳ１１）、録画中止のチェック済か判断し（ステップＳ１２）、チェックがない場合には録画中止のチェックを付け（ステップＳ１３）、チェック済の場合には録画中止のチェックを外す（ステップＳ１４）。これらの状態で、カラーキーの赤ボタンが押下（取り消し実行ボタン）されるまで（ステップＳ１５）、上記ステップＳ１０〜Ｓ１４の処理を繰り返し受け付けるようにする。これにより、番組１，２のいずれか一方、あるいは両方を選択することができる。ステップＳ１５の操作が実行させた場合には、録画中止のチェックが付された番組があるか判断し（ステップＳ１６）、そのチェック済の番組がある場合にはその録画中止を実行して（ステップＳ１７）、一連の処理を終了する。
【００４８】
ステップＳ１６で、チェック済の番組がなかった場合には、録画中止番組の選択が行われていない旨のワーニングを表示し（ステップＳ１８）、以後、ステップＳ１０に戻って処理を継続させる。
【００４９】
以上のように、上記構成による番組録画再生装置では、録画中止の指示があった場合に、録画番組数を見て単独録画か複数録画かを判別し、複数録画の場合にはそれぞれのサムネイル映像を取得し、クリップ映像として並べて表示するようにしているので、ユーザは実際の映像を確認しながら録画中止を決定することが可能となる。また、中止対象の選択を同一画面上で簡単に指定することができるので、同時に２つの番組の録画中止指示も簡単に行うことができる。
【００５０】
図５は本発明の他の実施形態として、録画中止対象の２番組表示を上述の区分別表示ではなく、リスト表示とした場合の表示画面を示すものである。この実施形態では、記録中の番組毎にリスト枠を決定し、それぞれのリスト枠内に番組情報を表示すると共に、画面の一部に選択されたリストのサムネイル映像をクリップ表示するようにしている。このようにすることで、実際の番組内容を確認しながら録画中止を指示することが可能となる。
【００５１】
尚、本発明は上記実施形態そのままに限定されるものではなく、実施段階ではその要旨を逸脱しない範囲で構成要素を変形して具体化できる。例えば、上記実施形態では、同時に録画可能な番組数を２つとしたが、それ以上の番組数であっても同様に実施可能である。また、上記実施形態に開示されている複数の構成要素の適宜な組み合わせにより、種々の発明を形成できる。例えば、実施形態に示される全構成要素から幾つかの構成を削除してもよい。さらに、異なる実施形態例に亘る構成要素を適宜組み合わせてもよい。
【符号の説明】
【００５２】
１０…光ディスク、１２…ディスクドライブ部、１４…ハードディスクドライブ部、１６…データプロセッサ部、１８ａ…ＡＶ入力部、１８ｂ…地上波アナログチューナ、１８ｃ…地上波デジタルチューナ、１８…衛星ＢＳ／ＣＳチューナ、１８ｅ…衛星アナログチューナ、２０…スイッチ、３０…エンコーダ部、３２…フォーマッタ、５０…デコーダ部、７０…マイクロコンピュータブロック、１６…データプロセッサ部、３４…バッファメモリ、４０…ＳＴＣ（システムタイムクロック）生成部、５２…オーディオセレクタ、５４…デジタルアナログ変換器、５６…ビデオミキシング部、５８…フレームメモリ、６２…デジタルアナログ変換器、６４…モニタ、７０１…電子番組ガイド（Electronic Program Guide）処理部、７０２…録画制御部、７０３…再生制御部、７０４…編集処理部、７０５…表示制御部、７３…Ｉ／Ｆ（インタフェース）、７４…表示部、７２…ネットワークインターフェース、７６…キー入力部。
【図１】
2010200169.tif 000003
【図２】
2010200169.tif 000004
【図３】
2010200169.tif 000005
【図４】
2010200169.tif 000006
【図５】
2010200169.tif 000007
【手続補正書】
【提出日】平成22年2月15日(2010.2.15)
【手続補正１】
【補正対象書類名】明細書
【補正対象項目名】００１１
【補正方法】変更
【補正の内容】
【００１１】
（１）それぞれ独立して放送番組を受信する複数のチューナと、前記複数のチューナにより選択的に受信して得られる１または複数の放送番組を同時に録画する録画処理部と、前記録画の中止指示入力があったとき、録画中の番組数を判別する番組数判別部と、前記番組数判別数の判別結果が複数であったときは、それぞれの番組の受信データからサムネイル映像を生成するサムネイル映像生成部と、前記録画中の複数の番組毎に番組タイトル、チャンネル、録画予約時間を含む番組情報を表示すると共に、少なくとも選択された番組の前記サムネイル映像をクリップ表示する録画中止選択画面生成部と、前記録画中止選択画面上で前記複数の番組の中から録画を中止する番組を選択させる中止選択指示部とを具備する構成とする。
【手続補正２】
【補正対象書類名】明細書
【補正対象項目名】００１２
【補正方法】変更
【補正の内容】
【００１２】
（２）（１）の構成において、前記録画中止選択画面生成部は、前記録画中の複数の番組毎に区分を決定し、それぞれの区分内に、番組タイトル、チャンネル、録画予約時間を含む番組情報を表示すると共に前記サムネイル映像をクリップ表示する構成とする。
（３）（１）の構成において、前記録画中止選択画面生成部は、前記録画中の複数の番組毎にリスト枠を決定し、それぞれのリスト枠内に番組タイトル、チャンネル、録画予約時間を含む番組情報を表示し、画面の一部に選択されたリストのサムネイル映像をクリップ表示する構成とする。
【手続補正３】
【補正対象書類名】明細書
【補正対象項目名】００１４
【補正方法】変更
【補正の内容】
【００１４】
（４）複数の放送番組を同時に受信して録画可能な番組録画再生装置の録画中止方法において、前記録画の中止指示入力があったとき、録画中の番組数を判別し、前記番組数判別数の判別結果が複数であったときは、それぞれの番組の受信データからサムネイル映像を生成し、前記録画中の複数の番組毎に番組タイトル、チャンネル、録画予約時間を含む番組情報を表示すると共に、少なくとも選択された番組の前記サムネイル映像をクリップ表示するようにした録画中止選択画面を表示し、前記録画中止選択画面上で前記複数の番組の中から録画を中止する番組を選択させる構成とする。
【手続補正４】
【補正対象書類名】特許請求の範囲
【補正対象項目名】全文
【補正方法】変更
【補正の内容】
【特許請求の範囲】
【請求項１】
それぞれ独立して放送番組を受信する複数のチューナと、
前記複数のチューナにより選択的に受信して得られる１または複数の放送番組を同時に録画する録画処理部と、
前記録画の中止指示入力があったとき、録画中の番組数を判別する番組数判別部と、
前記番組数判別数の判別結果が複数であったときは、それぞれの番組の受信データからサムネイル映像を生成するサムネイル映像生成部と、
前記録画中の複数の番組毎に番組タイトル、チャンネル、録画予約時間を含む番組情報を表示すると共に、少なくとも選択された番組の前記サムネイル映像をクリップ表示する録画中止選択画面生成部と、
前記録画中止選択画面上で前記複数の番組の中から録画を中止する番組を選択させる中止選択指示部と
を具備することを特徴とする番組録画再生装置。
【請求項２】
前記録画中止選択画面生成部は、前記録画中の複数の番組毎に区分を決定し、それぞれの区分内に、番組タイトル、チャンネル、録画予約時間を含む番組情報を表示すると共に前記サムネイル映像をクリップ表示することを特徴とする請求項１記載の番組録画再生装置。
【請求項３】
前記録画中止選択画面生成部は、前記録画中の複数の番組毎にリスト枠を決定し、それぞれのリスト枠内に番組タイトル、チャンネル、録画予約時間を含む番組情報を表示し、画面の一部に選択されたリストのサムネイル映像をクリップ表示することを特徴とする請求項１記載の番組録画再生装置。
【請求項４】
複数の放送番組を同時に受信して録画可能な番組録画再生装置の録画中止方法において、
前記録画の中止指示入力があったとき、録画中の番組数を判別し、
前記番組数判別数の判別結果が複数であったときは、それぞれの番組の受信データからサムネイル映像を生成し、
前記録画中の複数の番組毎に番組タイトル、チャンネル、録画予約時間を含む番組情報を表示すると共に、少なくとも選択された番組の前記サムネイル映像をクリップ表示するようにした録画中止選択画面を表示し、
前記録画中止選択画面上で前記複数の番組の中から録画を中止する番組を選択させることを特徴とする番組録画再生装置の録画中止方法。
【手続補正書】
【提出日】平成22年5月10日(2010.5.10)
【手続補正１】
【補正対象書類名】明細書
【補正対象項目名】００１１
【補正方法】変更
【補正の内容】
【００１１】
（１）それぞれ独立して放送番組を受信する複数のチューナと、前記複数のチューナにより選択的に受信して得られる複数の放送番組を同時に録画する録画処理部と、前記録画中の複数の放送番組の受信データからサムネイル映像を生成するサムネイル映像生成部と、前記録画の中止指示入力があったとき、前記録画中の複数の番組毎に番組タイトル、チャンネル、録画予約時間を含む番組情報を表示すると共に、少なくとも選択された番組の前記サムネイル映像をクリップ表示する録画中止選択画面生成部と、前記録画中止選択画面上で前記複数の番組の中から録画を中止する任意の個数の番組を選択させる中止選択指示部と、前記中止選択指示部で選択される番組の録画を中止実行操作に従って中止する録画中止処理部とを具備する構成とする。
【手続補正２】
【補正対象書類名】明細書
【補正対象項目名】００１４
【補正方法】変更
【補正の内容】
【００１４】
（４）複数の放送番組を同時に受信して録画可能な番組録画再生装置の録画中止方法において、前記録画中の複数の放送番組それぞれの番組の受信データからサムネイル映像を生成し、前記録画の中止指示入力があったとき、前記録画中の複数の番組毎に番組タイトル、チャンネル、録画予約時間を含む番組情報を表示すると共に、少なくとも選択された番組の前記サムネイル映像をクリップ表示するようにした録画中止選択画面を表示し、前記録画中止選択画面上で前記複数の番組の中から任意の個数の録画を中止する番組を選択させ、
選択された番組の録画を中止実行操作に従って中止させる構成とする。
【手続補正３】
【補正対象書類名】特許請求の範囲
【補正対象項目名】全文
【補正方法】変更
【補正の内容】
【特許請求の範囲】
【請求項１】
それぞれ独立して放送番組を受信する複数のチューナと、
前記複数のチューナにより選択的に受信して得られる複数の放送番組を同時に録画する録画処理部と、
前記録画中の複数の放送番組の受信データからサムネイル映像を生成するサムネイル映像生成部と、
前記録画の中止指示入力があったとき、前記録画中の複数の番組毎に番組タイトル、チャンネル、録画予約時間を含む番組情報を表示すると共に、少なくとも選択された番組の前記サムネイル映像をクリップ表示する録画中止選択画面生成部と、
前記録画中止選択画面上で前記複数の番組の中から録画を中止する任意の個数の番組を選択させる中止選択指示部と、
前記中止選択指示部で選択される番組の録画を中止実行操作に従って中止する録画中止処理部と
を具備することを特徴とする番組録画再生装置。
【請求項２】
前記録画中止選択画面生成部は、前記録画中の複数の番組毎に区分を決定し、それぞれの区分内に、番組タイトル、チャンネル、録画予約時間を含む番組情報を表示すると共に前記サムネイル映像をクリップ表示することを特徴とする請求項１記載の番組録画再生装置。
【請求項３】
前記録画中止選択画面生成部は、前記録画中の複数の番組毎にリスト枠を決定し、それぞれのリスト枠内に番組タイトル、チャンネル、録画予約時間を含む番組情報を表示し、画面の一部に選択されたリストのサムネイル映像をクリップ表示することを特徴とする請求項１記載の番組録画再生装置。
【請求項４】
複数の放送番組を同時に受信して録画可能な番組録画再生装置の録画中止方法において、
前記録画中の複数の放送番組それぞれの番組の受信データからサムネイル映像を生成し、
前記録画の中止指示入力があったとき、前記録画中の複数の番組毎に番組タイトル、チャンネル、録画予約時間を含む番組情報を表示すると共に、少なくとも選択された番組の前記サムネイル映像をクリップ表示するようにした録画中止選択画面を表示し、
前記録画中止選択画面上で前記複数の番組の中から任意の個数の録画を中止する番組を選択させ、
選択された番組の録画を中止実行操作に従って中止させることを特徴とする番組録画再生装置の録画中止方法。